(57)【要約】【課題】本発明は、適応変調方式が採用される場合において、チューナダイバシチを用いて通信相手先装置との高速通信を維持し易くすることができるとともに、無線リソースを有効に活用することができる。【解決手段】ＣＳ１００は、タイムスロットと無線周波数とによって定められるチャネルを複数用いて移動局とのダイバシチ無線通信を実行する。ＣＳ１００は、ＰＳ２００から受信した信号の受信通信品質に応じて、変更候補となる変調方式を決定する。ＣＳ１００は、決定された変更候補となる変調方式の伝送レートが、現在通信に用いている変調方式の伝送レートよりも低い場合には、現在通信に用いている変調方式を他の変調方式に変更せずに、ダイバシチ無線通信を実行する。【選択図】図２
2007267140.tif 000002
【特許請求の範囲】
【請求項１】
電波伝搬路の状況に応じて現在通信に用いている変調方式を他の変調方式に変更する適応変調方式を用いる無線基地局であって、
タイムスロットと無線周波数とによって定められるチャネルを複数用いて移動局とのダイバシチ無線通信を実行する通信実行部と、
前記移動局から受信した信号の受信通信品質に応じて、変更候補となる変調方式である候補変調方式を決定する通信方式決定部とを備え、
前記通信実行部は、決定された前記候補変調方式の伝送レートが、前記現在通信に用いている前記変調方式の伝送レートよりも低い場合には、前記現在通信に用いている前記変調方式を前記候補変調方式に変更せずに、前記ダイバシチ無線通信を実行することを特徴とする無線基地局。
【請求項２】
前記適応変調方式は、前記電波伝搬路の状況に応じて前記移動局から受信した前記信号の位相成分及び振幅成分によって定められた基準点の数を変更するものであり、 
前記移動局から受信した前記信号の受信通信品質が低くなる程、現在の基準点の数よりも少ない基準点の数を仮基準点数として決定し、前記受信通信品質が高くなる程、前記現在の基準点の数よりも多い基準点の数を前記仮基準点数として決定する仮基準点数決定部を備え、
前記通信実行部は、決定された前記仮基準点数が前記現在の基準点の数よりも少ない場合には、前記現在の基準点の数を前記仮基準点数に変更せずに、前記ダイバシチ無線通信を実行することを特徴とする請求項１に記載の無線基地局。
【請求項３】
前記ダイバシチ無線通信が実行されているときに、前記ダイバシチ無線通信で用いられている複数の前記チャネルを介して受信された信号のそれぞれの受信通信品質が閾値以上である場合には、前記複数のチャネルのうちのいずれかのチャネルを解放するチャネル制御部を備えることを特徴とする請求項１又は請求項２のいずれかに記載の無線基地局。
【請求項４】
前記チャネル制御部は、前記現在の基準点の数が上限値である場合には、前記チャネルの解放を中止することを特徴とする請求項３に記載の無線基地局。
【請求項５】
使用していない前記チャネルを示す空チャネルの数が閾値に達しているか否か監視する空チャネル数監視部と、
使用している前記チャネルを示す使用チャネルを介して受信された信号の受信通信品質よりも、前記空チャネルを介して受信された信号の受信通信品質が高い場合には、前記使用チャネルにおける無線周波数と前記空チャネルにおける無線周波数とのそれぞれを他方の無線周波数に切替える無線周波数切替部とを備え、
前記通信実行部は、
前記適応変調方式を用いる複数の前記チャネルを示す適応変調チャネル、及び前記適応変調方式以外の変調方式を用いる複数の前記チャネルを示す不適応変調チャネルのうちのいずれかを用いて前記移動局との前記ダイバシチ無線通信を実行し、
前記チャネル制御部は、
前記空チャネルの数が前記閾値に達していないときに、前記適応変調チャネル及び前記不適応変調チャネルを用いた前記ダイバシチ無線通信が実行されている場合には、前記適応変調チャネルにおける一部のチャネルを解放し、前記適応変調チャネルのうちの解放されていないチャネルにおける無線周波数の切替えを中止することを特徴とする請求項１又は請求項２のいずれかに記載の無線基地局。
【請求項６】
タイムスロットと無線周波数とによって定められるチャネルを複数用いて移動局とのダイバシチ無線通信を実行する無線基地局であって、
使用している前記チャネルを示す使用チャネルを介して受信された信号の受信通信品質よりも、使用していない前記チャネルを示す空チャネルを介して受信された信号の受信通信品質が高い場合には、前記使用チャネルにおける無線周波数と前記空チャネルにおける無線周波数とのそれぞれを他方の無線周波数に切替える無線周波数切替部と、
前記移動局との通信で用いられている前記チャネルを介して受信した信号の前記受信通信品質が過去の受信通信品質に比べて低い場合には、前記チャネルにおける無線周波数を切替えさせずに、前記チャネルを含む複数のチャネルを用いて前記移動局との前記ダイバシチ無線通信を実行する通信実行部と、
前記ダイバシチ無線通信が実行されているときに、前記ダイバシチ無線通信で用いられている前記複数のチャネルを介して受信された信号のそれぞれの受信通信品質の全てが過去の受信通信品質に比べて低い場合には、前記複数のチャネルのうちのいずれかのチャネルを解放するチャネル制御部と
を備えることを特徴とする無線基地局。
【請求項７】
適応変調方式を用いる無線基地局と通信を実行する移動局であって、
前記無線基地局から受信した信号の受信通信品質が低くなる程、現在の基準点の数よりも少ない基準点の数を仮基準点数として決定し、前記受信通信品質が高くなる程、前記現在の基準点の数よりも多い基準点の数を前記仮基準点数として決定する仮基準点数決定部と、
決定された前記仮基準点数が前記現在の基準点の数よりも少ない場合には、前記現在の基準点の数を前記仮基準点数に変更させる要求を前記無線基地局に送信せずに、タイムスロットと無線周波数とによって定められるチャネルを複数用いて前記無線基地局とのダイバシチ無線通信を実行させる要求を前記無線基地局に送信する情報送信部と
を備えることを特徴とする移動局。
【請求項８】
タイムスロットと無線周波数とによって定められるチャネルを複数用いて無線基地局とのダイバシチ無線通信を実行する移動局であって、
使用している前記チャネルを示す使用チャネルを介して受信された信号の受信通信品質よりも、使用していない前記チャネルを示す空チャネルを介して受信された信号の受信通信品質が高い場合には、前記使用チャネルにおける無線周波数と前記空チャネルにおける無線周波数とのそれぞれを他方の無線周波数に切替えさせる切替要求を前記無線基地局に送信する第１送信部と、
前記無線基地局との通信で用いられている前記チャネルを介して受信された信号の前記受信通信品質が過去の受信通信品質に比べて低い場合には、前記切替要求を前記無線基地局に送信させずに、前記チャネルを含む複数のチャネルを用いて前記無線基地局との前記ダイバシチ無線通信を実行させる要求を前記無線基地局に送信する第２送信部と、
前記ダイバシチ無線通信が実行されているときに、前記ダイバシチ無線通信で用いられている前記複数のチャネルを介して受信された信号のそれぞれの受信通信品質の全てが過去の受信通信品質に比べて低い場合には、前記複数のチャネルのうちのいずれかのチャネルを解放させる要求を前記無線基地局に送信する第３送信部と
を備えることを特徴とする移動局。
【請求項９】
電波伝搬路の状況に応じて現在通信に用いている変調方式を他の変調方式に変更する適応変調方式を用いる無線基地局において動作する通信方法であって、
タイムスロットと無線周波数とによって定められるチャネルを複数用いて移動局とのダイバシチ無線通信を実行する第１ステップと、
前記移動局から受信した信号の受信通信品質に応じて、変更候補となる変調方式である候補変調方式を決定する第２ステップとを備え、
前記第１ステップでは、決定された前記候補変調方式の伝送レートが、前記現在通信に用いている前記変調方式の伝送レートよりも低い場合には、前記現在通信に用いている前記変調方式を前記候補変調方式に変更せずに、前記ダイバシチ無線通信を実行することを特徴とする通信方法。
【請求項１０】
前記適応変調方式は、前記電波伝搬路の状況に応じて前記移動局から受信した前記信号の位相成分及び振幅成分によって定められた基準点の数を変更するものであり、 
前記移動局から受信した信号の受信通信品質が低くなる程、現在の基準点の数よりも少ない基準点の数を仮基準点数として決定し、前記受信通信品質が高くなる程、前記現在の基準点の数よりも多い基準点の数を前記仮基準点数として決定する第３ステップを備え、
前記第１ステップでは、決定された前記仮基準点数が前記現在の基準点の数よりも少ない場合には、前記現在の基準点の数を前記仮基準点数に変更せずに、前記ダイバシチ無線通信を実行することを特徴とする通信方法。
【請求項１１】
前記ダイバシチ無線通信が実行されているときに、前記ダイバシチ無線通信で用いられている複数の前記チャネルを介して受信された信号のそれぞれの受信通信品質が閾値以上である場合には、前記複数のチャネルのうちのいずれかのチャネルを解放する第４ステップを備えることを特徴とする請求項９又は請求項１０のいずれかに記載の通信方法。
【請求項１２】
前記第４ステップでは、前記現在の基準点の数が上限値である場合には、前記チャネルの解放を中止することを特徴とする請求項１１に記載の通信方法。
【請求項１３】
使用していない前記チャネルを示す空チャネルの数が閾値に達しているか否か監視する第５ステップと、
使用している前記チャネルを示す使用チャネルを介して受信された信号の受信通信品質よりも、前記空チャネルを介して受信された信号の受信通信品質が高い場合には、前記使用チャネルにおける無線周波数と前記空チャネルにおける無線周波数とのそれぞれを他方の無線周波数に切替える第６ステップとを備え、
前記第１ステップでは、
前記適応変調方式を用いる複数の前記チャネルを示す適応変調チャネル、及び前記適応変調方式以外の変調方式を用いる複数の前記チャネルを示す不適応変調チャネルのうちのいずれかを用いて前記移動局との前記ダイバシチ無線通信を実行し、
前記第４ステップでは、
前記空チャネルの数が前記閾値に達していないときに、前記適応変調チャネル及び前記不適応変調チャネルを用いた前記ダイバシチ無線通信が実行されている場合には、前記適応変調チャネルにおける一部のチャネルを解放し、前記適応変調チャネルのうちの解放されていないチャネルにおける無線周波数の切替えを中止することを特徴とする請求項９又は請求項１０のいずれかに記載の通信方法。
【請求項１４】
タイムスロットと無線周波数とによって定められるチャネルを複数用いて移動局とのダイバシチ無線通信を実行する無線基地局において動作する通信方法であって、
使用している前記チャネルを示す使用チャネルを介して受信された信号の受信通信品質よりも、使用していない前記チャネルを示す空チャネルを介して受信された信号の受信通信品質が高い場合には、前記使用チャネルにおける無線周波数と前記空チャネルにおける無線周波数とのそれぞれを他方の無線周波数に切替えさせる切替要求を前記無線基地局に送信する第１ステップと、
前記移動局との通信で用いられている前記チャネルを介して受信した信号の前記受信通信品質が過去の受信通信品質に比べて低い場合には、前記チャネルにおける無線周波数を切替えさせずに、前記チャネルを含む複数のチャネルを用いて前記移動局との前記ダイバシチ無線通信を実行する第２ステップと、
前記ダイバシチ無線通信が実行されているときに、前記ダイバシチ無線通信で用いられている前記複数のチャネルを介して受信された信号のそれぞれの受信通信品質の全てが過去の受信通信品質に比べて低い場合には、前記複数のチャネルのうちのいずれかのチャネルを解放する第３ステップと
を備えることを特徴とする通信方法。
【発明の詳細な説明】
【技術分野】
【０００１】
本発明は、タイムスロットと無線周波数とによって定められるチャネルを複数用いて移動局とのダイバシチ無線通信を実行する無線基地局、移動局及び通信方法に関する。
【背景技術】
【０００２】
ＰＨＳ（Personal Handyphone System）等、時分割多元接続（ＴＤＭＡ）を用いた無線通信システムでは、無線基地局（ＣＳ）と移動局（ＰＳ）との間において、タイムスロットと無線周波数とによって定められるチャネルを複数用いて、ダイバシチ無線通信を実行する方式、いわゆる“チューナダイバシチ”が実現されている（例えば、特許文献１）。
【０００３】
このようなチューナダイバシチによれば、ダイバシチ無線通信で用いられている複数のチャネルを介して受信された信号のそれぞれのうち、受信通信品質（例えば、ＲＳＳＩなど）が最も高い信号を選択することができる。
【０００４】
また、上記無線通信システムでは、位相成分及び振幅成分によって定められた基準点（信号点）を複数用いるＢＰＳＫ,ＱＰＳＫ,８ＱＡＭなどの位相振幅変調方式が採用されている。例えば、直交振幅変調方式の中のＱＰＳＫ（Quadrature Phase Shift Keying）では、基準点の数が４つあり、基準点のそれぞれには（００），（０１），（１１），（１０）が対応付けられている。通信装置（無線基地局又は移動局）が受信した受信信号の信号点が基準点（０１）に近ければ、受信信号は、（０１）に復調される。
【０００５】
上記直交振幅変調方式の一つには、受信信号の受信通信品質（例えば、ＲＳＳＩ）が高くなる程、基準点の数が多く設定される一方で、受信信号の受信通信品質が低くなる程、基準点の数が少なく設定される適応変調方式がある。このような適応変調方式によれば、通信装置は、受信信号の受信通信品質が高くなるに従い、基準点の数をより多く設定することができるため、送信可能なビット数を多くすることができ、通信相手先装置との高速通信を実現することができる。
【特許文献１】特開平２００５−１５０９６９号
【発明の開示】
【発明が解決しようとする課題】
【０００６】
しかしながら、上記適応変調方式では、過去の受信通信品質に比べて現在の受信通信品質が低くなると、現在の基準点の数がより少なく設定されることとなり、通信装置は、通信相手先装置との高速通信を維持することができなくなる。
【０００７】
一方、適応変調方式を採用する通信装置において、チューナダイバシチが実行されれば、過去の受信通信品質に比べて現在の受信通信品質が向上し易くなるため、通信装置は、通信相手先装置との高速通信を維持し易くすることができる。
【０００８】
ところが、チューナダイバシチには複数のチャネルが使用されるため、通信装置（無線基地局）は、使用していない空チャネル（以下、無線リソースと適宜省略）が不足し、新規呼に割当てるチャネルを確保することができなくなる場合がある。
【０００９】
そこで、本発明は以上の点に鑑みてなされたものであり、適応変調方式が採用される場合において、チューナダイバシチを用いて通信相手先装置との高速通信を維持し易くすることができるとともに、無線リソースを有効に活用することができる無線基地局、移動局及び通信方法を提供することを目的とする。
【課題を解決するための手段】
【００１０】
上記課題を解決するために、本発明の第１の特徴は、電波伝搬路の状況に応じて現在通信に用いている変調方式を他の変調方式に変更する適応変調方式を用いる無線基地局であって、タイムスロットと無線周波数とによって定められるチャネルを複数用いて移動局とのダイバシチ無線通信を実行する通信実行部と、前記移動局から受信した信号の受信通信品質に応じて、変更候補となる変調方式である候補変調方式を決定する通信方式決定部とを備え、前記通信実行部は、決定された前記候補変調方式の伝送レートが、前記現在通信に用いている前記変調方式の伝送レートよりも低い場合には、前記現在通信に用いている前記変調方式を前記候補変調方式に変更せずに、前記ダイバシチ無線通信を実行することを要旨とする。
【００１１】
かかる特徴によれば、候補変調方式の伝送レートが、現在通信に用いている変調方式の伝送レートよりも低い場合には、直ぐに現在通信に用いている変調方式が候補変調方式に変更されることなく、ダイバシチ無線通信が実行される。これにより、無線基地局が、ダイバシチ無線通信により現在の受信通信品質を向上させることができるため、無線基地局は、直ぐに現在通信に用いている変調方式の伝送レートを低下させないようにすることができ、移動局との高速通信を維持し易くすることができる。
【００１２】
また、無線基地局は、決定された候補変調方式の伝送レートが、現在通信に用いている変調方式の伝送レートよりも低い場合“以外”には、移動局とのダイバシチ無線通信を実行しない。このため、無線基地局は、移動局とのダイバシチ無線通信を常に実行することはないため、無線リソース（チャネル）を有効に活用することができる。
【００１３】
本発明の第２の特徴は、前記適応変調方式が、前記電波伝搬路の状況に応じて前記移動局から受信した前記信号の位相成分及び振幅成分によって定められた基準点の数を変更するものであり、前記移動局から受信した信号の受信通信品質が低くなる程、現在の基準点の数よりも少ない基準点の数を仮基準点数として決定し、前記受信通信品質が高くなる程、前記現在の基準点の数よりも多い基準点の数を前記仮基準点数として決定する仮基準点数決定部を備え、前記通信実行部は、決定された前記仮基準点数が前記現在の基準点の数よりも少ない場合には、前記現在の基準点の数を前記仮基準点数に変更せずに、前記ダイバシチ無線通信を実行することを要旨とする。
【００１４】
かかる特徴によれば、過去の受信通信品質に比べて現在の受信通信品質が低くなった場合には、直ぐに現在の基準点の数が少なくされることなく、ダイバシチ無線通信が実行される。これにより、無線基地局が、ダイバシチ無線通信により現在の受信通信品質を向上させることができるため、無線基地局は、直ぐに現在の基準点の数を少なくさせないようにすることができ、移動局との高速通信を維持し易くすることができる。
【００１５】
また、無線基地局は、過去の受信通信品質に比べて現在の受信通信品質が低くなった場合には、移動局とのダイバシチ無線通信を実行し、それ場合以外には、移動局とのダイバシチ無線通信を実行しない。このため、無線基地局は、移動局とのダイバシチ無線通信を常に実行することはないため、無線リソース（チャネル）を有効に活用することができる。
【００１６】
本発明の第３の特徴は、前記ダイバシチ無線通信が実行されているときに、前記ダイバシチ無線通信で用いられている複数の前記チャネルを介して受信された信号のそれぞれの受信通信品質が閾値以上である場合には、前記複数のチャネルのうちのいずれかのチャネルを解放するチャネル制御部を備えることを要旨とする。
【００１７】
本発明の第４の特徴は、前記チャネル制御部が、前記現在の基準点の数が上限値である場合には、前記チャネルの解放を中止することを要旨とする。
【００１８】
本発明の第５の特徴は、使用していない前記チャネルを示す空チャネルの数が閾値に達しているか否か監視する空チャネル数監視部と、使用している前記チャネルを示す使用チャネルを介して受信された信号の受信通信品質よりも、前記空チャネルを介して受信された信号の受信通信品質が高い場合には、前記使用チャネルにおける無線周波数と前記空チャネルにおける無線周波数とのそれぞれを他方の無線周波数に切替える無線周波数切替部とを備え、前記通信実行部は、前記適応変調方式を用いる複数の前記チャネルを示す適応変調チャネル、及び前記適応変調方式以外の変調方式を用いる複数の前記チャネルを示す不適応変調チャネルのうちのいずれかを用いて前記移動局との前記ダイバシチ無線通信を実行し、前記チャネル制御部は、前記空チャネルの数が前記閾値に達していないときに、前記適応変調チャネル及び前記不適応変調チャネルを用いた前記ダイバシチ無線通信が実行されている場合には、前記適応変調チャネルにおける一部のチャネルを解放し、前記適応変調チャネルのうちの解放されていないチャネルにおける無線周波数の切替えを中止することを要旨とする。
【００１９】
本発明の第６の特徴は、タイムスロットと無線周波数とによって定められるチャネルを複数用いて移動局とのダイバシチ無線通信を実行する無線基地局であって、使用している前記チャネルを示す使用チャネルを介して受信された信号の受信通信品質よりも、使用していない前記チャネルを示す空チャネルを介して受信された信号の受信通信品質が高い場合には、前記使用チャネルにおける無線周波数と前記空チャネルにおける無線周波数とのそれぞれを他方の無線周波数に切替える無線周波数切替部と、前記移動局との通信で用いられている前記チャネルを介して受信した信号の前記受信通信品質が過去の受信通信品質に比べて低い場合には、前記チャネルにおける無線周波数を切替えさせずに、前記チャネルを含む複数のチャネルを用いて前記移動局との前記ダイバシチ無線通信を実行する通信実行部と、前記ダイバシチ無線通信が実行されているときに、前記ダイバシチ無線通信で用いられている前記複数のチャネルを介して受信された信号のそれぞれの受信通信品質の全てが過去の受信通信品質に比べて低い場合には、前記複数のチャネルのうちのいずれかのチャネルを解放するチャネル制御部とを備えることを要旨とする。
【００２０】
本発明の第７の特徴は、適応変調方式を用いる無線基地局と通信を実行する移動局であって、前記無線基地局から受信した信号の受信通信品質が低くなる程、現在の基準点の数よりも少ない基準点の数を仮基準点数として決定し、前記受信通信品質が高くなる程、前記現在の基準点の数よりも多い基準点の数を前記仮基準点数として決定する仮基準点数決定部と、決定された前記仮基準点数が前記現在の基準点の数よりも少ない場合には、前記現在の基準点の数を前記仮基準点数に変更させる要求を前記無線基地局に送信せずに、タイムスロットと無線周波数とによって定められるチャネルを複数用いて前記無線基地局とのダイバシチ無線通信を実行させる要求を前記無線基地局に送信する情報送信部とを備えることを要旨とする。
【００２１】
本発明の第８の特徴は、タイムスロットと無線周波数とによって定められるチャネルを複数用いて無線基地局とのダイバシチ無線通信を実行する移動局であって、使用している前記チャネルを示す使用チャネルを介して受信された信号の受信通信品質よりも、使用していない前記チャネルを示す空チャネルを介して受信された信号の受信通信品質が高い場合には、前記使用チャネルにおける無線周波数と前記空チャネルにおける無線周波数とのそれぞれを他方の無線周波数に切替えさせる切替要求を前記無線基地局に送信する第１送信部と、前記無線基地局との通信で用いられている前記チャネルを介して受信された信号の前記受信通信品質が過去の受信通信品質に比べて低い場合には、前記切替要求を前記無線基地局に送信させずに、前記チャネルを含む複数のチャネルを用いて前記無線基地局との前記ダイバシチ無線通信を実行させる要求を前記無線基地局に送信する第２送信部と、前記ダイバシチ無線通信が実行されているときに、前記ダイバシチ無線通信で用いられている前記複数のチャネルを介して受信された信号のそれぞれの受信通信品質の全てが過去の受信通信品質に比べて低い場合には、前記複数のチャネルのうちのいずれかのチャネルを解放させる要求を前記無線基地局に送信する第３送信部とを備えることを要旨とする。
【発明の効果】
【００２２】
本発明の特徴によれば、適応変調方式が採用される場合において、チューナダイバシチを用いて通信相手先装置との高速通信を維持し易くすることができるとともに、無線リソースを有効に活用することができる。
【発明を実施するための最良の形態】
【００２３】
［第１実施形態］
（無線基地局を含む無線通信システムの全体概略構成）
図１は、本実施形態に係る無線基地局を含む無線通信システムの全体概略構成図である。本無線通信システムは、例えば、ＰＨＳ（Personal Handyphone System）の規格に準拠した無線通信システムである。本無線通信システムでは、時分割多重多元接続（ＴＤＭＡ）及び時分割復信（ＴＤＤ）が用いられる。
【００２４】
本実施形態では、無線基地局１００（以下、ＣＳ１００と適宜省略する）と、移動局２００Ａ，２００Ｂ（以下、ＰＳ２００Ａ，ＰＳ２００Ｂと適宜省略する）とによって無線通信システムが構成される。なお、無線通信システムを構成する無線基地局及び移動局の数は、図１に示した数量に限定されるものではない。
【００２５】
ＣＳ１００は、タイムスロットと無線周波数とによって定められるチャネルを複数用いてＰＳ２００Ａ，２００Ｂとのダイバシチ無線通信、いわゆる“チューナダイバシチ”を実行することができる。
【００２６】
また、ＣＳ１００は、適応変調方式を用いている。適応変調方式は、電波伝搬路の状況に応じて現在通信に用いている変調方式を他の変調方式に変更する方式である。本実施形態に係る適応変調方式は、電波伝搬路の状況に応じてＰＳ２００から受信した信号の位相成分及び振幅成分によって定められた基準点（信号点）の数を変更することによって、伝送レートを変更する方式であるとして説明するが、これに限定されないのは勿論のことである。例えば、適応変調方式は、電波伝搬路の状況に応じて現在の周波数変調を他の周波数変調に変更することによって、伝送レートを変更する方式であってもよい。  
ＣＳ１００は、アンテナ１１１，１１２の２つのアレイアンテナを有する。また、ＣＳ１００には、通信ネットワーク１０が接続される。
【００２７】
通信ネットワーク１０は、複数の無線基地局を接続するための通信ネットワークである。本実施形態では、通信ネットワーク１０は、ＩＳＤＮ回線（Ｉ’回線）などによって構成される。なお、通信ネットワーク１０は、ＩＳＤＮ回線のような回線交換型の通信ネットワークではなく、パケット交換型の通信ネットワーク（例えば、ＩＰネットワーク）であってもよい。
【００２８】
（無線基地局の機能ブロック構成）
図２は、ＣＳ１００の機能ブロック構成図である。図２に示すように、ＣＳ１００は、アンテナ１１１，１１２、無線部１２１，１２２、制御部１３０、無線信号処理部１４１，１４２、切替部１５０及びベースバンド部１６０を備える。
【００２９】
アンテナ１１１は、１．９ＧＨｚ帯などの無線信号を送受信するアレイアンテナであり、無線部１２１と接続される。
【００３０】
無線部１２１は、１．９ＧＨｚ帯などの無線信号を生成し、アンテナ１１１を介して送信する。また、無線部１２１は、ＰＳ２００Ａ，２００Ｂから、アンテナ１１１を介して１．９ＧＨｚ帯などの無線信号を受信する。なお、アンテナ１１２及び無線部１２２は、アンテナ１１１及び無線部１２１とそれぞれ同様の機能を有する。
【００３１】
制御部１３０は、無線信号処理部１４１，１４２、切替部１５０及びベースバンド部１６０と接続される。
【００３２】
制御部１３０は、タイムスロットと無線周波数との組合せによって定められるチャネルの割り当て、ＰＳ２００Ａ，２００Ｂとの通信に使用されていない空チャネルの数の管理、チューナダイバシチ（ダイバシチ無線通信；以下、ＴＤと適宜省略する）の設定や解除などを制御する。
【００３３】
特に、本実施形態では、制御部１３０は、ＰＳ２００から受信した信号の受信通信品質に応じて、変更候補となる変調方式を決定する。制御部１３０は、決定された変更候補となる変調方式の伝送レートが、現在通信に用いている変調方式の伝送レートよりも低い場合には、現在通信に用いている変調方式を他の変調方式に変更せずに、ダイバシチ無線通信を実行する。
【００３４】
例えば、制御部１３０は、ＰＳ２００から受信した信号の受信通信品質が低くなる程、現在の基準点の数よりも少ない基準点の数を仮基準点数として決定する（図３参照）。一方、制御部１３０は、受信通信品質が高くなる程、現在の基準点の数よりも多い基準点の数を仮基準点数として決定する（図３参照）。受信通信品質には、フレームエラーレート（ＦＥＲ）や受信信号強度（ＲＳＳＩ）が含まれる。
【００３５】
以下、「基準点の数」は変調パラメータとして表現する。「仮基準点数」は仮変調パラメータとして表現する。なお、制御部１３０は、仮基準点数決定部を構成する。
【００３６】
制御部１３０は、決定した仮変調パラメータが現在の変調パラメータよりも小さい場合には、現在の変調パラメータを仮変調パラメータに変更せずに、ＴＤを設定する。なお、制御部１３０は、通信実行部及び通信方式決定部を構成する。
【００３７】
制御部１３０は、ＴＤを設定しているときに、当該ＴＤに用いられている複数のチャネルを介して受信された信号のそれぞれの受信通信品質が閾値以上である場合には、当該複数のチャネルのうちのいずれかのチャネルを解放する。なお、制御部１３０は、チャネル制御部を構成する。
【００３８】
制御部１３０は、現在の変調パラメータが最大値（上限値）である場合には、ＴＤに用いられているチャネルの解放を中止する。
【００３９】
無線信号処理部１４１は、無線部１２１及び切替部１５０と接続される。無線信号処理部１４１は、ＤＳＰ（digital signal processor）を有し、ベースバンド信号のデジタル変復調処理を実行する。
【００４０】
無線信号処理部１４２は、無線信号処理部１４１と同様の機能を有する。無線信号処理部１４２は、無線部１２２及び切替部１５０と接続される。
【００４１】
切替部１５０は、無線部１２１〜無線信号処理部１４１の系、または無線部１２２〜無線信号処理部１４２の系のうち、受信通信品質が良好な系を選択する。具体的には、切替部１５０は、制御部１３０からの制御に基づいて、受信通信品質（例えば、ＲＳＳＩ、ＦＥＲ）が良好な系を選択する。
【００４２】
ベースバンド部１６０は、ベースバンド信号に関する処理（例えば、基地局識別符号（ＣＳＩＤ）などの各種情報の付加や除去）を実行する。また、ベースバンド部１６０は、通信ネットワーク１０と接続するためのネットワークインタフェースを備える。
【００４３】
（移動局の機能ブロック構成）
図４は、ＰＳ２００の機能ブロック構成図である。図４に示すように、ＰＳ２００は、無線部２０１と、無線信号処理部２０３と、制御部２０５と、音声信号処理部２０７と、マイク２０９と、スピーカ２１１と、電源部２１３とを備える。
【００４４】
無線部２０１は、アンテナ２０１ａを有し、１．９ＧＨｚ帯などの無線周波数を用いる送信機と受信機とによって構成されている。
【００４５】
無線信号処理部２０３は、無線部２０１及び音声信号処理部２０７と接続される。また、無線信号処理部２０３は、制御部２０５とも接続される。
【００４６】
無線信号処理部２０３は、ＤＳＰ（digital signal processor）を有し、制御部２０５による制御に基づいて、音声信号処理部２０７によって出力された信号のデジタル変調処理、及び無線部１０１によって出力された信号のデジタル復調処理などを実行する。
【００４７】
制御部２０５は、無線信号処理部２０３及び音声信号処理部２０７を制御する。特に、
本実施形態では、制御部２０５は、ＣＳ１００から受信された信号の受信通信品質が低くなる程、現在の変調パラメータよりも小さい変調パラメータを仮変調パラメータとして決定する。一方、制御部２０５は、受信通信品質が高くなる程、現在の変調パラメータよりも大きい変調パラメータを仮変調パラメータとして決定する。
【００４８】
制御部２０５は、決定した仮変調パラメータが現在の変調パラメータよりも小さい場合には、現在の変調パラメータを仮変調パラメータに変更させる要求をＣＳ１００に送信せずに、タイムスロットと無線周波数とによって定められるチャネルを複数用いてＣＳ１００とのＴＤを設定させる要求（変調パラメータ切替要求）をＣＳ１００に送信する。なお、制御部２０５及び無線部２０１は、情報送信部を構成する。
【００４９】
音声信号処理部２０７は、マイク２０９によって取得された音声信号、及びスピーカ２１１に出力される音声信号のデジタル変換処理などを実行する。
【００５０】
電源部２１３は、ＰＳ２００を構成する各機能ブロックに対して必要な電力を供給する。本実施形態では、電源部２１３は、小型のバッテリによって構成される。
【００５１】
（無線通信システムの動作）
次に、上述した実施形態に係る無線通信システムにおいて動作する通信方法について説明する。図５は、移動局から無線基地局への「上り方向」のチャネルで用いられる変調パラメータが変更される概略動作フローを示している。なお、図５に示す「ｒｆ−Ａ側のＣＨＡ」は、無線部１２１側のチャネル（ＣＨＡ）を示している。「ｒｆ−Ｂ側のＣＨＢ」は、無線部１２２側のチャネル（ＣＨＢ）を示している。本実施形態に係るＣＨＡ及びＣＨＢのそれぞれは、同一タイムスロット上で用いられる。
【００５２】
図５に示すように、Ｓ１０１において、ＣＳ１００は、上り方向の「ｒｆ−Ａ側のＣＨＡ」を用いてＰＳ２００との通信を実行している場合には、Ｓ１０３においてＣＨＡを介して受信した信号の受信通信品質（現在の受信通信品質）が過去の受信通信品質よりも高いか否か判定する。
【００５３】
ＣＳ１００は、現在の受信通信品質が過去の受信通信品質よりも高い場合には、過去の受信通信品質から現在の受信通信品質への向上の度合いに応じて、現在の変調パラメータよりも大きい変調パラメータを仮変調パラメータとして決定する。
【００５４】
例えば、図３に示すように、現在の変調パラメータが１６である場合には、ＣＳ１００は、現在の変調パラメータ（１６）よりも大きい３２を仮変調パラメータとして決定する。  そして、ＣＳ１００は、ＰＳ２００に対して、現在の変調パラメータ（１６）に仮変調パラメータ（３２）を設定するように指示する変調パラメータ切替指示を送信する。その後、ＣＳ１００は、現在の変調パラメータ（１６）に仮変調パラメータ（３２）を設定することにより、現在の１６ＱＡＭを３２ＱＡＭに変更することができる。
【００５５】
一方、ＣＳ１００は、現在の受信通信品質が過去の受信通信品質よりも高くない場合には、過去の受信通信品質から現在の受信通信品質への低下の度合いに応じて、現在の変調パラメータよりも小さい変調パラメータを仮変調パラメータとして決定する。
【００５６】
Ｓ１０５において、ＣＳ１００は、決定した仮変調パラメータ（例えば、４）が現在の変調パラメータ（例えば、１６）よりも小さい場合には、現在の変調パラメータ（例えば、１６）に仮変調パラメータ（例えば、４）を設定せずに、上り方向のＣＨＡ及びＣＨＢを用いてＴＤを設定する。
【００５７】
Ｓ１０７において、ＣＳ１００は、上り方向のＣＨＡ及びＣＨＢのそれぞれを介して受信した信号の受信通信品質の全てが過去の受信通信品質よりも高いか否か判定し、上記と同様に仮変調パラメータを決定する。
【００５８】
Ｓ１０９において、ＣＳ１００は、上り方向のＣＨＡ及びＣＨＢを用いてＴＤを設定しても、Ｓ１０７において決定した仮変調パラメータのいずれもが現在の変調パラメータよりも小さい場合には、ＰＳ２００に対して、上り方向のＣＨＡ及びＣＨＢで用いられている現在の変調パラメータに仮変調パラメータを設定するように指示する変調パラメータ切替指示を送信する。
【００５９】
Ｓ１１０において、ＣＳ１００は、上り方向のＣＨＡ及びＣＨＢで用いられている現在の変調パラメータに仮変調パラメータを設定する。
【００６０】
図６は、無線基地局から移動局への「下り方向」のチャネルで用いられる変調パラメータが変更される概略動作フローを示している。
【００６１】
図６に示すように、Ｓ２０１において、ＰＳ２００は、下り方向の「ｒｆ−Ａ側のＣＨＡ」を用いてＣＳ１００との通信を実行している場合には、Ｓ２０３においてＣＨＡを介して受信した信号の受信通信品質（現在の受信通信品質）が過去の受信通信品質よりも高いか否か判定する。
【００６２】
ＰＳ２００は、現在の受信通信品質が過去の受信通信品質よりも高い場合には、過去の受信通信品質から現在の受信通信品質への向上の度合いに応じて、現在の変調パラメータよりも大きい変調パラメータを仮変調パラメータとして決定する。
【００６３】
一方、ＰＳ２００は、現在の受信通信品質が過去の受信通信品質よりも高くない場合には、過去の受信通信品質から現在の受信通信品質への低下の度合いに応じて、現在の変調パラメータよりも小さい変調パラメータを仮変調パラメータとして決定する。
【００６４】
Ｓ２０５において、ＰＳ２００は、ＣＳ１００に対して、現在の変調パラメータの切替を要求する変調パラメータ切替要求を送信する。当該変調パラメータ切替要求には、Ｓ２０３で決定された仮変調パラメータが含まれている。
【００６５】
Ｓ２０７において、ＣＳ１００は、ＰＳ２００から受信した変調パラメータ切替要求に基づいて、変調パラメータ切替要求に含まれている仮変調パラメータが、現在の変調パラメータよりも大きい場合には、下り方向のＣＨＡ及びＣＨＢで用いられている現在の変調パラメータ（例えば、１６）に仮変調パラメータ（例えば、３２）を設定するように指示する変調パラメータ切替指示を送信する。そして、ＣＳ１００は、現在の変調パラメータ（例えば、１６）に仮変調パラメータ（例えば、３２）を設定する。
【００６６】
一方、ＣＳ１００は、変調パラメータ切替要求に含まれている仮変調パラメータが、現在の変調パラメータよりも小さい場合には、現在の変調パラメータに仮変調パラメータを設定せずに、Ｓ２０９において、下り方向のＣＨＡ及びＣＨＢを用いてＴＤを設定する。
【００６７】
Ｓ２１１において、ＰＳ２００は、ＴＤが設定された後に、ＣＨＡ及びＣＨＢのそれぞれを介して受信した信号の受信通信品質（現在の受信通信品質）の全てが過去の受信通信品質よりも高いか否か判定するとともに、上記と同様に仮変調パラメータを決定する。
【００６８】
Ｓ２１３において、ＰＳ２００は、ＣＳ１００に対して変調パラメータ切替要求を再び送信する。
【００６９】
Ｓ２１５において、ＣＳ１００は、ＰＳ２００から再び受信した変調パラメータ切替要求に基づいて、変調パラメータ切替要求に含まれている仮変調パラメータの全てが現在の変調パラメータよりも小さいか否か判定する。
【００７０】
Ｓ２１７において、ＣＳ１００は、仮変調パラメータのいずれもが現在の変調パラメータよりも小さい場合には、ＰＳ２００に対して、下り方向のＣＨＡ及びＣＨＢで用いられている現在の変調パラメータ（例えば、１６）に仮変調パラメータ（例えば、４）を設定するように指示する変調パラメータ切替指示を送信する。
【００７１】
Ｓ２１９において、ＣＳ１００は、下り方向のＣＨＡ及びＣＨＢで用いられている現在の変調パラメータ（例えば、１６）に仮変調パラメータ（例えば、４）を設定する。
【００７２】
図７は、「上り方向」及び「下り方向」のチャネルで用いられる変調パラメータを変更する無線基地局における詳細動作フローを示している。
【００７３】
図７に示すように、Ｓ３０１において、ＣＳ１００は、ＰＳ２００から変調パラメータ切替要求を受信したか否か判定する。ＣＳ１００は、ＰＳ２００から変調パラメータ切替要求を受信した場合にはＳ３０３の処理に移る。一方、ＣＳ１００は、ＰＳ２００から変調パラメータ切替要求を受信していない場合にはＳ３０９の処理に移る。
【００７４】
Ｓ３０３において、ＣＳ１００は、変調パラメータ切替要求に含まれている仮変調パラメータが、現在の変調パラメータよりも大きいか否か判定する。ＣＳ１００は、仮変調パラメータが現在の変調パラメータよりも大きい場合には、Ｓ３２３の処理に移る。
【００７５】
一方、ＣＳ１００は、仮変調パラメータが現在の変調パラメータよりも小さい場合には、Ｓ３０５において、下り方向のＣＨＡ及びＣＨＢを用いてＴＤを設定する。
【００７６】
Ｓ３０７において、ＣＳ１００は、ＴＤが設定されてから所定期間内において、ＰＳ２００から変調パラメータ切替要求を再び受信したか否か判定する。ＣＳ１００は、ＰＳ２００から変調パラメータ切替要求を再び受信した場合には、Ｓ３２３の処理に移る。
【００７７】
一方、ＣＳ１００は、ＰＳ２００から変調パラメータ切替要求を受信していない場合には、Ｓ３０１からの処理を繰り返す。
【００７８】
Ｓ３０９において、ＣＳ１００は、上り方向の「ｒｆ−Ａ側のＣＨＡ」を用いてＰＳ２００との通信を実行している場合には、ＣＨＡを介して受信した信号の受信通信品質（現在の受信通信品質）が過去の受信通信品質よりも高いか否か判定する。
【００７９】
Ｓ３１１において、ＣＳ１００は、現在の受信通信品質が過去の受信通信品質よりも高い場合には、過去の受信通信品質から現在の受信通信品質への向上の度合いに応じて、現在の変調パラメータよりも大きい変調パラメータを仮変調パラメータとして決定する。
【００８０】
一方、ＣＳ１００は、現在の受信通信品質が過去の受信通信品質よりも高くない場合には、過去の受信通信品質から現在の受信通信品質への低下の度合いに応じて、現在の変調パラメータよりも小さい変調パラメータを仮変調パラメータとして決定する。
【００８１】
Ｓ３１３において、ＣＳ１００は、現在の変調パラメータと仮変調パラメータとが異なるか否か判定する。ＣＳ１００は、現在の変調パラメータと仮変調パラメータとが異なる場合にはＳ３１５の処理に移る。一方、ＣＳ１００は、現在の変調パラメータと仮変調パラメータとが異ならない場合にはＳ３０１からの処理を繰り返す。
【００８２】
Ｓ３１５において、ＣＳ１００は、Ｓ３１１で決定した仮変調パラメータが、現在の変調パラメータよりも大きいか否か判定する。ＣＳ１００は、仮変調パラメータが現在の変調パラメータよりも大きい場合には、Ｓ３２３の処理に移る。
【００８３】
一方、ＣＳ１００は、仮変調パラメータが現在の変調パラメータよりも大きくない場合には、Ｓ３１７において、上り方向のＣＨＡ及びＣＨＢを用いてＴＤを設定する。
【００８４】
Ｓ３１９において、ＣＳ１００は、上り方向のＣＨＡ及びＣＨＢのそれぞれを介して受信した信号の受信通信品質（現在の受信通信品質）が過去の受信通信品質よりも高いか否か再び判定し、上述と同様に仮変調パラメータを決定する。
【００８５】
Ｓ３２１において、ＣＳ１００は、Ｓ３１９で決定した仮変調パラメータのいずれもが現在の変調パラメータよりも小さい場合には、ＰＳ２００に対して変調パラメータ切替指示を送信し、Ｓ３２３の処理に移る。
【００８６】
一方、ＣＳ１００は、Ｓ３１９で決定した仮変調パラメータのいずれかが現在の変調パラメータよりも小さくない場合には、ＰＳ２００に対して変調パラメータ切替指示を送信せずに、Ｓ３０１からの処理を繰り返す。
【００８７】
Ｓ３２３において、ＣＳ１００は、現在の変調パラメータに仮変調パラメータを設定する。
【００８８】
かかる特徴によれば、候補変調方式の伝送レートが、現在通信に用いている変調方式の伝送レートよりも低い場合には、直ぐに現在通信に用いている変調方式が候補変調方式に変更されることなく、ダイバシチ無線通信が実行される。これにより、ＣＳ１００が、ダイバシチ無線通信により現在の受信通信品質を向上させることができるため、ＣＳ１００は、直ぐに現在通信に用いている変調方式の伝送レートを低下させないようにすることができ、ＰＳ２００との高速通信を維持し易くすることができる。
【００８９】
また、ＣＳ１００は、決定された前記候補変調方式の伝送レートが、現在通信に用いている変調方式の伝送レートよりも低い場合“以外”には、移動局とのダイバシチ無線通信を実行しない。このため、ＣＳ１００は、ＰＳ２００とのダイバシチ無線通信を常に実行することはないため、無線リソース（チャネル）を有効に活用することができる。
【００９０】
例えば、過去の受信通信品質に比べて現在の受信通信品質が低くなった場合には、ＣＳ１００は、直ぐに現在の変調パラメータを小さくすることなく、ＴＤを設定する。これにより、ＣＳ１００が、現在の受信通信品質を向上させることができるため、ＣＳ１００は、直ぐに現在の変調パラメータを小さくさせないようにすることができ、ＰＳ２００との高速通信を維持し易くすることができる。
【００９１】
また、ＣＳ１００は、過去の受信通信品質に比べて現在の受信通信品質が低くなった場合に「のみ」、ＰＳ２００とのＴＤを設定し、それ場合以外には、ＰＳ２００とのＴＤを設定しない。このため、ＣＳ１００は、ＰＳ２００とのＴＤを常に実行することはないため、無線リソース（チャネル）を有効に活用することができる。
【００９２】
図８は、ＣＳ１００がＴＤを解除する動作フローを示す図である。図８に示すように、Ｓ４０１において、ＣＳ１００は、ＴＤが設定されているか否か判定する。ＣＳ１００は、ＴＤが設定されている場合にはＳ４０３の処理に移る。一方、ＣＳ１００は、ＴＤが設定されていない場合には本処理を終了する。
【００９３】
Ｓ４０３において、ＣＳ１００は、ＴＤで用いられているＣＨＡ及びＣＨＢのそれぞれを介して受信した信号の受信通信品質が閾値以上であるか否か判定する。ＣＳ１００は、ＴＤで用いられているＣＨＡ及びＣＨＢのそれぞれを介して受信した信号の受信通信品質が閾値以上でない場合には、受信通信品質をより向上させる必要があるため、ＴＤを解除せずに本処理を終了する。
【００９４】
一方、ＣＳ１００は、ＴＤで用いられているＣＨＡ及びＣＨＢのそれぞれを介して受信した信号の受信通信品質が閾値以上である場合には、Ｓ４０５において、現在の変調パラメータが最高値であるか否か判定する。
【００９５】
ＣＳ１００は、現在の変調パラメータが最高値である場合には、Ｓ４０９の処理に移る。
【００９６】
一方、ＣＳ１００は、現在の変調パラメータが最高値でない場合には、Ｓ４０７においてＣＨＡ及びＣＨＢのうちのいずれかを解放することにより、ＴＤを解除する。
【００９７】
Ｓ４０９において、ＣＳ１００は、使用していない空チャネルが存在する場合には、ＴＤを解除せずに本処理を終了する。一方、ＣＳ１００は、使用していない空チャネルが存在しない場合には、Ｓ４０７においてＴＤを解除する。
【００９８】
かかる特徴によれば、ＴＤに用いられている複数のチャネルを介して受信した信号のそれぞれの受信通信品質が閾値以上である場合には、当該ＴＤが用いられなくても、複数チャネルを介して受信した信号の受信通信品質が十分に確保されていることとなる。
【００９９】
この場合には、ＣＳ１００が、当該複数のチャネルのうちのいずれかのチャネルを解放することにより、当該ＣＳ１００は、無線リソースの不足を解消することができ、新規呼に割当てるチャネルを確保することができる。
【０１００】
ここで、現在の変調パラメータの値が最高値である場合には、受信信号の復調に用いられるＩＱ平面上の基準点間の間隔が最も短くなる。このため、ＰＳ２００から送信された信号がフェージングによる影響を大きく受けると、ＣＳ１００側でＰＳ２００から受信された受信信号の信号点は、本来の基準点とは異なる基準点に近づくことがある。
【０１０１】
これにより、ＣＳ１００は、受信信号の信号点に対応する基準点を適切に選択することができず、受信信号を適切に復調することができない場合がある。このため、現在の変調パラメータの値が最高値である場合には、一般的により高い受信通信品質が求められる。
【０１０２】
本実施形態では、現在の変調パラメータの値が最高値である場合には、ＣＳ１００は、ＴＤの解除を中止する。これにより、ＣＳ１００が、現在の変調パラメータの値が最高値であっても、ＴＤを解除しないため、当該ＣＳ１００は、現在の受信通信品質が良い信号を選択することができ、移動局から受信した受信信号を適切に復調することができる。
【０１０３】
なお、ＰＳ２００は、ＴＤが設定されているときに、当該ＴＤに用いられている複数のチャネルを介して受信された信号のそれぞれの受信通信品質が閾値以上である場合には、当該複数のチャネルのうちのいずれかのチャネルを解放させる要求をＣＳ１００に送信してもよい。
【０１０４】
なお、ＰＳ２００は、現在の変調パラメータが最大値である場合には、ＴＤに用いられているチャネルの解放を中止させる要求をＣＳ１００に送信してもよい。
【０１０５】
［第２実施形態］
第２実施形態の内容を説明する前に、第２実施形態に関係する従来技術について簡単に説明する。
【０１０６】
具体的には、従来、移動局で用いられているチャネル（使用チャネル）を介して受信された信号の受信通信品質が閾値未満である場合には、無線基地局は、受信通信品質が良好な空チャネルにおける無線周波数と当該使用チャネルにおける無線周波数とのそれぞれを、他方の無線周波数に切替えている。このため、無線基地局は、使用チャネルにおける無線周波数を空チャネルで用いることができ、当該無線周波数を介して受信した信号の受信通信品質を確保することができる。  
しかしながら、無線基地局は、信号の受信状態によっては、使用チャネルにおける無線周波数の切替えを適切に実行することができず、使用チャネルにおける無線周波数の切替えに伴う呼切断を生じさせる場合があった。
【０１０７】
そこで、本実施形態では、無線基地局は、使用チャネルにおける無線周波数の切替えに伴う呼切断を低減することを目的としている。
【０１０８】
以下では、上記第１実施形態に係る無線通信システム及び通信方法との相違点について主に説明する。
【０１０９】
ＣＳ１００に備えられている制御部１３０は、使用チャネルを介して受信された信号の受信通信品質よりも、空チャネルを介して受信された信号の受信通信品質が高い場合には、使用チャネルにおける無線周波数と空チャネルにおける無線周波数とのそれぞれを他方の無線周波数に切替える。なお、制御部１３０は、無線周波数切替部を構成する。
【０１１０】
制御部１３０は、ＰＳ２００との通信で用いられているチャネルを介して受信された信号の受信通信品質が過去の受信通信品質に比べて低い場合には、当該チャネルにおける無線周波数を切替えずに、当該チャネルを含む複数のチャネルを用いてＰＳ２００とのＴＤを設定する。
【０１１１】
制御部１３０は、ＴＤを設定しているときに、当該ＴＤに用いられている複数のチャネルを介して受信された信号のそれぞれの受信通信品質の全てが過去の受信通信品質に比べて低い場合には、当該複数のチャネルのうちのいずれかのチャネルを解放する。
【０１１２】
ＰＳ２００に備えられている制御部２０５は、使用チャネルを介して受信された信号の受信通信品質よりも、空チャネルを介して受信された信号の受信通信品質が高い場合には、使用チャネルにおける無線周波数と空チャネルにおける無線周波数とのそれぞれを他方の無線周波数に切替えさせる切替要求（ＴＣＨ切替要求）をＣＳ１００に送信する。
【０１１３】
制御部２０５は、ＣＳ１００との通信で用いられているチャネルを介して受信された信号の受信通信品質が過去の受信通信品質に比べて低い場合には、上記切替要求を送信せずに、当該チャネルを含む複数のチャネルを用いてＣＳ１００とのＴＤを実行させる要求（ＴＣＨ切替要求）をＣＳ１００に送信する。
【０１１４】
制御部２０５は、ＴＤが設定されているときに、当該ＴＤに用いられている複数のチャネルを介して受信された信号のそれぞれの受信通信品質の全てが過去の受信通信品質に比べて低い場合には、当該複数のチャネルのうちのいずれかのチャネルを解放させる要求（ＴＣＨ切替要求）をＣＳ１００に送信する。なお、無線部２０１及び制御部２０５は、第１送信部、第２送信部及び第３送信部を構成する。
【０１１５】
次に、本実施形態に係る無線通信システムにおいて動作する通信方法について説明する。  図９は、移動局から無線基地局への「上り方向」のチャネルで用いられる使用チャネルにおける無線周波数が切替えさせられる概略動作フローを示している。
【０１１６】
図９に示すように、Ｓ５０１において、ＣＳ１００は、上り方向の「ｒｆ−Ａ側のＣＨＡ（使用チャネル）」を用いてＰＳ２００との通信を実行している場合には、Ｓ５０３においてＣＨＡを介して受信した信号の受信通信品質（現在の受信通信品質）が過去の受信通信品質よりも高いか否か判定する。
【０１１７】
Ｓ５０５において、ＣＳ１００は、Ｓ５０３においてＣＨＡを介して受信した信号の受信通信品質（現在の受信通信品質）が過去の受信通信品質よりも低い場合には、上り方向のＣＨＡ及びＣＨＢを用いてＴＤを設定する。
【０１１８】
Ｓ５０７において、ＣＳ１００は、上り方向のＣＨＡ及びＣＨＢのそれぞれを介して受信した信号の受信通信品質の全てが過去の受信通信品質よりも高いか否か再び判定する。
【０１１９】
Ｓ５０９において、ＣＳ１００は、上り方向のＣＨＡ及びＣＨＢを用いてＴＤを設定しても、上り方向のＣＨＡ及びＣＨＢのそれぞれを介して受信した信号の受信通信品質の全てが過去の受信通信品質よりも低い場合には、上り方向のＣＨＡ及びＣＨＢのうちのいずれかを解放することにより、ＴＤを解除する。
【０１２０】
そして、ＣＳ１００は、ＴＤに用いられていたＣＨＡ及びＣＨＢのうち、解放されていないチャネルにおける無線周波数と特定の空チャネルにおける無線周波数とのそれぞれを、他方の無線周波数に切替えるように指示するＴＣＨ切替指示をＰＳ２００に送信する。当該特定の空チャネルは、複数の空チャネルのうち、干渉量（例えば、ＲＳＳＩ）が最も小さい空チャネルであることが望ましい。
【０１２１】
図１０は、無線基地局から移動局への「下り方向」のチャネルで用いられる使用チャネルにおける無線周波数が切替えさせられる概略動作フローを示している。
【０１２２】
図１０に示すように、Ｓ６０１において、ＰＳ２００は、下り方向の「ｒｆ−Ａ側のＣＨＡ」を用いてＣＳ１００との通信を実行している場合には、Ｓ６０３においてＣＨＡを介して受信した信号の受信通信品質（現在の受信通信品質）が過去の受信通信品質よりも高いか否か判定する。
【０１２３】
Ｓ６０５において、ＰＳ２００は、現在の受信通信品質が過去の受信通信品質よりも低い場合には、ＣＨＡにおける無線周波数と空チャネルにおける無線周波数とのそれぞれを、他方の無線周波数に切替えさせることを要求するＴＣＨ切替要求、又は下り方向のＣＨＡ及びＣＨＢを用いてＴＤを設定させることを要求するＴＣＨ切替要求をＣＳ１００に送信する。
【０１２４】
Ｓ６０７において、ＣＳ１００は、ＰＳ２００から受信したＴＣＨ切替要求に基づいて、ＣＨＡにおける無線周波数の切替えを実行せずに、下り方向のＣＨＡ及びＣＨＢを用いてＴＤを設定する。
【０１２５】
Ｓ６０９において、ＰＳ２００は、下り方向のＣＨＡ及びＣＨＢのそれぞれを介して受信した信号の受信通信品質の全てが過去の受信通信品質よりも高いか否か再び判定する。
【０１２６】
Ｓ６１１において、ＰＳ２００は、現在の受信通信品質が過去の受信通信品質よりも低い場合には、再びＴＣＨ切替要求をＣＳ１００に送信する。
【０１２７】
Ｓ６１３において、ＣＳ１００は、ＰＳ２００から受信したＴＣＨ切替要求に基づいて、下り方向のＣＨＡ及びＣＨＢのうちのいずれかを解放することにより、ＴＤを解除する。
【０１２８】
そして、ＣＳ１００は、ＴＤに用いられていたＣＨＡ及びＣＨＢのうち、解放されていないチャネルにおける無線周波数と特定の空チャネルにおける無線周波数とのそれぞれを、他方の無線周波数に切替えるように指示するＴＣＨ切替指示をＰＳ２００に送信する。当該特定の空チャネルは、複数のタイムスロットのうち、干渉量（例えば、ＲＳＳＩ）が最も小さいタイムスロットであることが望ましい。
【０１２９】
図１１は、「上り方向」及び「下り方向」の使用チャネルにおける無線周波数を切替える無線基地局における詳細動作フローを示している。
【０１３０】
Ｓ７０１において、ＣＳ１００は、ＰＳ２００から送信されたＴＣＨ切替要求を受信したか否か判定する。ＣＳ１００は、ＰＳ２００から送信されたＴＣＨ切替要求を受信した場合には、Ｓ７１１において、下り方向の同一スロット上の複数のチャネルを用いてＴＤを設定する。
【０１３１】
一方、ＣＳ１００は、ＰＳ２００から送信されたＴＣＨ切替要求を受信していない場合にはＳ７０３の処理に移る。
【０１３２】
Ｓ７０３において、ＣＳ１００は、上り方向のチャネルを介して受信した信号の受信通信品質（現在の受信通信品質）が過去の受信通信品質よりも高いか否か判定する。
【０１３３】
Ｓ７０５において、ＣＳ１００は、上り方向のチャネルを介して受信した信号の受信通信品質（現在の受信通信品質）が過去の受信通信品質よりも低い場合には、Ｓ７１１において、上り方向の同一スロット上の複数のチャネルを用いてＴＤを設定する。
【０１３４】
一方、ＣＳ１００は、上り方向のチャネルを介して受信した信号の受信通信品質（現在の受信通信品質）が過去の受信通信品質よりも低くない場合には、Ｓ７０７の処理に移る。
【０１３５】
Ｓ７０７において、ＣＳ１００は、ＴＤに用いるチャネルの優先順位を決定する。ＣＳ１００は、決定した優先順位に基づいて、ＴＤの解除、チャネルの切換えを実行する（優先順位決定処理）。
【０１３６】
本実施形態では、以下に示すように、（１）から（４）に向かうに従って、ＴＤに用いるチャネルの優先順位が低くなる。なお、以下に示す優先順位は、一例でありこれに限定されないのは勿論のことである。
【０１３７】
（１）ＴＤが設定されていないチャネルを介して受信された信号の受信通信品質が低く、当該チャネルに割当てられている呼が切断される場合における当該チャネル
（２）ＴＤに用いられている適応変調チャネルを構成する複数チャネルのうち、一部のチャネルが解除されると、解除されていないチャネル（未解除チャネル）の変調パラメータが維持されなくなる場合における当該適応変調チャネル
但し、適応変調チャネルは、適応変調方式を用いる複数のチャネルにより構成されている。
【０１３８】
（３）ＴＤに用いられている適応変調チャネルを構成する複数チャネルのうち、一部のチャネルが解除されても、解除されていない未解除チャネルの変調パラメータが維持又は向上される場合における当該適応変調チャネル
（４）上記（１）〜（４）以外のチャネル
ここで、優先順位決定処理の一例を説明する。図１２は、チャネルと、チャネルを介して受信された信号の受信レベルと、チャネルに割当てられた呼の種類とを示している。図１３は、既に使用されているチャネルの配置を示す図である。  
図１２に示すチャネルＡ〜Ｅに対応する呼（既存呼）が既に割当てられており、チャネルＦに対応する呼（新規呼）が未だ割当てられいないことを前提にして説明する。また、既に割当てられている呼が切断される受信レベルの閾値は、２０であるとする。
【０１３９】
図１２に示すように、ＴＤに用いられているチャネルＡに割当てられた呼における受信レベル（１５）は、閾値（２０）以下である。このため、チャネルＡに割当てられた呼は、ＴＤが解除されると、チャネルＡで用いられている変調パラメータが維持されなくなる可能性が高いため、例えば優先順位（１）に決定される。
【０１４０】
一方、ＴＤに用いられているチャネルＢに割当てられた呼における受信レベル（３０）は、閾値（２０）以上である。このため、チャネルＢに割当てられた呼は、ＴＤが解除されても、チャネルＢで用いられている変調パラメータが維持される可能性が高いため、例えば優先順位（２）に決定される。
【０１４１】
また、その他のチャネルＣ〜Ｄに割当てられた呼における受信レベルが閾値（２０）以上であり、ＴＤが設定されなくても当該呼が切断される可能性は低い。このため、チャネルＣ〜Ｄの優先順位のそれぞれは、（３）以下に決定される。
【０１４２】
このような状況において、チャネルＦに割当てられる新規呼が生起すると、チャネルＢはチャネルＡよりも優先順位が低い。このため、図１３（ａ）及び（ｂ１）に示すように、ＣＳ１００は、複数のチャネルＢのうちの第２タイムスロット上のチャネルＢを解放することによりＴＤを解除する。ＣＳ１００は、第２タイムスロットにおける無線周波数と第４タイムスロット上のチャネルＥにおける無線周波数とのそれぞれを、他方の無線周波数に切替える。
【０１４３】
そして、第４タイムスロットにおいて空チャネルが２つ存在することとなるため、Ｓ７０９においてＣＳ１００は、ＴＤが設定可能であると判定する。図１３（ｂ１）に示すように、ＣＳ１００は、Ｓ７１１において第４タイムスロット上の複数のチャネルＦを新規呼に割当てる。
【０１４４】
一方、図１３（ｂ１）では、ＴＤの解除によりチャネルＥにおける無線周波数が切替えさせられることを例にして説明したが、これに限定されないのは勿論のことである。
【０１４５】
例えば、図１３（ｂ２）に示すように、ＣＳ１００は、複数のチャネルＢのうちの一方を解放することによりＴＤを解除する。ＣＳ１００は、ｒｆ−Ｂ側の第４タイムスロット上の空チャネルにおける無線周波数と解放されていないチャネルＢにおける無線周波数とのそれぞれを、他方の無線周波数に切替える。
【０１４６】
そして、第２タイムスロットにおいて空チャネルが２つ存在することとなるため、Ｓ７０９においてＣＳ１００は、ＴＤが設定可能であると判定する。ＣＳ１００は、Ｓ７１１において第２タイムスロット上の複数のチャネルＦを新規呼に割当てる。
【０１４７】
上述した図１１の説明に戻り、Ｓ７１３乃至７１７において、ＣＳ１００は、上述したＳ７０１乃至７０５と同様の処理を実行する。
【０１４８】
Ｓ７１３において、ＣＳ１００は、ＰＳ２００から送信されたＴＣＨ切替要求を再び受信したか否か判定する。ＣＳ１００は、ＰＳ２００から送信されたＴＣＨ切替要求を受信した場合には、Ｓ７１９の処理に移る。
【０１４９】
一方、ＣＳ１００は、ＰＳ２００から送信されたＴＣＨ切替要求を受信していない場合にはＳ７１５の処理に移る。
【０１５０】
Ｓ７１５において、ＣＳ１００は、上り方向の複数のチャネルを介して受信した信号の受信通信品質（現在の受信通信品質）のそれぞれが過去の受信通信品質よりも高いか否か判定する。
【０１５１】
Ｓ７０５において、ＣＳ１００は、上り方向の複数のチャネルを介して受信した信号の受信通信品質（現在の受信通信品質）のいずれもが過去の受信通信品質よりも低い場合には、Ｓ７１９の処理に移る。
【０１５２】
一方、ＣＳ１００は、上り方向の複数のチャネルを介して受信した信号の受信通信品質（現在の受信通信品質）のいずれもが過去の受信通信品質よりも低くない場合には、Ｓ７２１の処理に移る。
【０１５３】
Ｓ７１９において、ＣＳ１００は、ＴＤを設定しても、当該ＴＤに用いられている複数のチャネルを介して受信した信号の受信通信品質のいずれもが過去の受信通信品質よりも低いこととなるため、当該ＴＤを解除する。
【０１５４】
Ｓ７２１において、ＣＳ１００は、上述したＳ７０７と同様の優先順位決定処理を実行する。
【０１５５】
Ｓ７２３において、ＣＳ１００は、空チャネルが２つ以上あり、ＴＤが設定可能であるか否か判定する。ＣＳ１００は、ＴＤが設定可能である場合には、既存呼又は新規呼に対してＴＤが設定可能となり、Ｓ７１１からの処理を繰り返す。一方、ＣＳ１００は、ＴＤが設定可能でない場合にはＳ７２５の処理に移る。
【０１５６】
Ｓ７２５において、ＣＳ１００は、上述したＳ７１９の処理と同様の処理を実行する。
【０１５７】
かかる特徴によれば、ＣＳ１００は、ＰＳ２００との通信で用いられているチャネル（使用チャネル）を介して受信された信号の受信通信品質が過去の受信通信品質よりも低い場合には、当該使用チャネルを含む複数のチャネルを用いてＴＤを設定する。
【０１５８】
すなわち、ＣＳ１００は、使用チャネルにおける無線周波数と、当該使用チャネルよりも受信通信品質が良好な空チャネルにおける無線周波数とのそれぞれを他方の無線周波数に切替えなくても、ＴＤを設定することにより受信通信品質が良好な信号を選択することができる。このため、ＣＳ１００は、使用チャネルにおける無線周波数の切替えに伴う呼切断を低減することができる。
【０１５９】
また、ＴＤが設定された後に、当該ＴＤに用いられている使用チャネルのそれぞれを介して受信された信号の受信通信品質のいずれもが過去の受信通信品質よりも低い場合には、当該ＴＤによる受信通信品質の向上が見込まれないこととなり、使用チャネルが無駄に使用されていることとなる。
【０１６０】
この場合には、ＣＳ１００は、当該ＴＤに用いられているいずれかの使用チャネルを解放することにより、使用チャネルを無駄に使用しないようにすることができ、無線リソースを有効に活用することができる。
【０１６１】
［第３実施形態］
第３実施形態では、ＣＳ１００は、適応変調チャネルを用いたＴＤを、不適応変調チャネルを用いたＴＤに優先して解除する点で第１実施形態及び第２実施形態とは異なる。
【０１６２】
以下では、上記第１実施形態及び第２実施形態に係る無線通信システム及び通信方法との相違点について主に説明する。
【０１６３】
制御部１３０は、使用チャネルを介して受信された信号の受信通信品質よりも、空チャネルを介して受信された信号の受信通信品質が高い場合には、当該使用チャネルにおける無線周波数と当該空チャネルにおける無線周波数とのそれぞれを他方の無線周波数に切替える。なお、制御部１３０は、無線周波数切替部を構成する。
【０１６４】
制御部１３０は、適応変調方式を用いる複数のチャネルを示す適応変調チャネル、及び適応変調方式以外の変調方式を用いる複数のチャネルを示す不適応変調チャネルのうちのいずれかを用いてＰＳ２００とのＴＤを設定する。
【０１６５】
制御部１３０は、使用していないチャネルを示す空チャネルの数が閾値に達しているか否か監視する。また、制御部１３０は、空チャネルの数が閾値に達していないときに、適応変調チャネル及び不適応変調チャネルを用いたＴＤが設定されている場合には、適応変調チャネルにおける一部のチャネルを解放し、適応変調チャネルのうちの解放されていないチャネルにおける無線周波数の切替えを中止する。
【０１６６】
次に、図１４を参照しながら、適応変調チャネルを用いたＴＤが、不適応変調チャネルを用いたＴＤに優先して解除される動作フローについて説明する。図１４に示すように、適応変調チャネルは、ｒｆ−Ａ及びｒｆ−Ｂ側のチャネルＡにより構成される。不適応変調チャネルは、ｒｆ−Ａ及びｒｆ−Ｂ側のチャネルＢにより構成される。
【０１６７】
図１４（ａ）に示すように、ＴＤに用いられている適応変調チャネル（Ａ）及び不適応変調チャネル（Ｂ）、及び既に使用されているチャネルＣ〜Ｅが存在する場合を考える。但し、チャネルＣは、他のチャネルに比べて、切断される可能性が高く、上述した優先順位が最も高いものとする。
【０１６８】
図１４（ｂ）に示すように、ＣＳ１００は、優先順位が最も高いｒｆ−Ａ側の第３スロットのチャネルＣと、ｒｆ−Ｂ側の第３タイムスロットの空チャネルとを用いてＴＤを設定する。
【０１６９】
その後、図１４（ｂ）及び（ｃ）に示すように、ＣＳ１００は、空チャネルの数が閾値（ここでは１）に達しているか否か判定し、空チャネルの数が閾値未満であると判定する。空チャネルの数が閾値未満であるため、ＣＳ１００は、ＴＤに用いられている複数のチャネルのうちのいずれかのチャネルを解放する。
【０１７０】
具体的には、ＣＳ１００は、不適応変調チャネルよりも優先して適応変調チャネルを構成する複数のチャネルＡのうちのいずれかのチャネルを解放する。ＣＳ１００は、適応変調チャネルのうちの解放されていないチャネル（未解放チャネル）における無線周波数の切替えを中止する。
【０１７１】
かかる特徴によれば、ＣＳ１００が、適応変調チャネルのうちの当該未解放チャネルにおける無線周波数と空チャネルにおける無線周波数とのそれぞれを他方の無線周波数に切替えずに、当該未解放チャネルを使用し続ける。このため、ＣＳ１００は、当該未解放チャネルにおける無線周波数の切替えに伴う呼切断を生じさせないようにすることができる。
【０１７２】
但し、適応変調チャネルを用いたＴＤが解除されるため、適応変調チャネルのうちの未解放チャネルを介して受信された受信信号の受信通信品質が低下する場合がある。この場合には、ＣＳ１００は、現在の変調パラメータをそれよりも小さく設定する。
【０１７３】
これにより、ＣＳ１００が、フェージングによる影響を大きく受けた信号を受信しても、当該信号に対応する基準点をより適切に選択することができるため、当該ＣＳ１００は、受信した当該信号を適切に復調することができる。
【０１７４】
上述のように、適応変調チャネルにおける一部のチャネルが解放されると、適応変調チャネルのうちの解放されていない未解放チャネルにおける無線周波数の切替えが中止される。これに対し、不適応変調チャネルにおける一部のチャネルが解放された場合には、不適応変調チャネルのうちの解放されていない未解放チャネルにおける無線周波数と、その未解放チャネルよりも受信通信品質の良好な空チャネルにおける無線周波数とのそれぞれは、他方の無線周波数に切替えさせられる。
【０１７５】
ここで、不適応変調チャネルを用いる変調方式では、変調パラメータが変更されない。このため、不適応変調チャネルにおける一部のチャネルが解放された場合には、ＣＳ１００は、解放されていない未解放チャネルにおける無線周波数と、その未解放チャネルよりも受信通信品質の良好な空チャネルにおける無線周波数とのそれぞれを他方の無線周波数に切替えないと、受信信号を適切に復調することができない。
【０１７６】
本実施形態では、上述のように適応変調チャネルにおける一部のチャネルが解放された後でなければ、不適応変調チャネルにおける一部のチャネルが解放されない。
【０１７７】
これにより、適応変調チャネルにおける一部のチャネルが解放されるまでは、ＣＳ１００は、ＴＤにより不適応変調チャネルを介して受信された受信信号の受信通信品質を確保することができ、当該受信信号を適切に復調することができる。
【０１７８】
また、不適応変調チャネルにおける一部のチャネルが解放された場合でも、ＣＳ１００は、未解放チャネルにおける無線周波数（未解放無線周波数）と、その未解放チャネルよりも受信通信品質の良好な空チャネルにおける無線周波数とのそれぞれを他方の無線周波数に切替える。これにより、ＣＳ１００は、適応変調方式を用いるチャネルでなくても、当該未解放無線周波数を介して受信した受信信号の受信通信品質を確保することができ、当該受信信号を適切に復調することができる。
【０１７９】
さらに、適応変調チャネルよりも不適応変調チャネルにおける一部のチャネルが解放され難くなるため、当該不適応変調チャネルのうちの解放されていない未解放チャネルにおける無線周波数が切替えさせられる頻度が減少する。このため、ＣＳ１００は、当該未解放チャネルにおける無線周波数の切替えに伴う呼切断を低減することができる。
【０１８０】
なお、ＰＳ２００は、空チャネルの数が閾値に達していないときに、適応変調チャネル及び不適応変調チャネルを用いたＴＤが設定されている場合には、適応変調チャネルにおける一部のチャネルを解放させる要求をＣＳ１００に送信し、適応変調チャネルのうちの解放されていないチャネルにおける無線周波数の切替えを中止させる要求をＣＳ１００に送信してもよい。
【０１８１】
［その他の実施形態］
以上、本発明の一例を説明したが、具体例を例示したに過ぎず、特に本発明を限定するものではなく、各部の具体的構成等は、適宜設計変更可能である。また、各実施形態及び各変更例の構成はそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１８２】
【図１】第１実施形態に係る無線通信システムの概略構成図である。
【図２】第１実施形態に係る無線基地局の内部構成図である。
【図３】第１実施形態に係る受信通信品質、多値変調種類及び変調パラメータの内容を示す図である。
【図４】第１実施形態に係る移動局の内部構成図である。
【図５】第１実施形態に係る通信方法を示すフロー図である。
【図６】第１実施形態に係る通信方法を示すフロー図である。
【図７】第１実施形態に係る通信方法を示すフロー図である。
【図８】第１実施形態に係る通信方法を示すフロー図である。
【図９】第２実施形態に係る通信方法を示すフロー図である。
【図１０】第２実施形態に係る通信方法を示すフロー図である。
【図１１】第２実施形態に係る通信方法を示すフロー図である。
【図１２】第２実施形態に係るチャネル、受信レベル及び呼種類の内容を示すフロー図である。
【図１３】第２実施形態に係る新規呼が割当てられるまでの流れを示す図である。
【図１４】第３実施形態に係る適応変調チャネルを構成する複数チャネルのうちの一部が解放されるまでの流れを示す図である。
【符号の説明】
【０１８３】
１０…通信ネットワーク、１００…無線基地局、１１１，１１２…アンテナ、１２１，１２２…無線部、１３０…制御部、１４１，１４２…無線信号処理部、１５０…切替部、１６０…ベースバンド部、２００…移動局、２０１…無線部、２０１ａ…アンテナ、２０３…無線信号処理部、２０５…制御部、２０７…音声信号処理部、２０９…マイク、２１１…スピーカ、２１３…電源部
【図１】
2007267140.tif 000003
【図２】
2007267140.tif 000004
【図３】
2007267140.tif 000005
【図４】
2007267140.tif 000006
【図５】
2007267140.tif 000007
【図６】
2007267140.tif 000008
【図７】
2007267140.tif 000009
【図８】
2007267140.tif 000010
【図９】
2007267140.tif 000011
【図１０】
2007267140.tif 000012
【図１１】
2007267140.tif 000013
【図１２】
2007267140.tif 000014
【図１３】
2007267140.tif 000015
【図１４】
2007267140.tif 000016